(57)【要約】【課題】  スライド部の状態に関わらず放音性を高めることができ、かつ設計の自由度の向上を実現できるスライド型携帯端末を提供する。【解決手段】  所定の位置に放音手段を備える第１の筐体と、第１の筐体に対してスライドする第２の筐体と、を有するスライド型携帯端末であって、第１の筐体又は第２の筐体のいずれか一方に設けられ、放音手段の音を外部へ放音するための放音孔を有し、第２の筐体の収納時は、放音孔を介してスライド時と別の方向に放音する。【選択図】  図１
2006157199.tif 000002
【特許請求の範囲】
【請求項１】
所定の位置に放音手段を備える第１の筐体と、
前記第１の筐体に対してスライドする第２の筐体と、を有するスライド型携帯端末であって、
前記第１の筐体又は第２の筐体のいずれか一方に設けられ、前記放音手段の音を外部へ放音するための放音孔を有し、
前記第２の筐体の収納時は、前記放音孔を介してスライド時と別の方向に放音することを特徴とするスライド型携帯端末。
【請求項２】
所定の位置に放音手段を備える第１の筐体と、
前記第１の筐体に対してスライドする第２の筐体と、を有するスライド型携帯端末であって、
前記第１の筐体又は第２の筐体のいずれか一方に設けられ、前記放音手段の音を外部へ放音するための第１の放音孔と、
前記第２の筐体に設けられ、前記放音手段の音を外部へ放音するための第２の放音孔と、を有し、
前記第２の筐体の収納時は前記第１の放音孔を介して放音し、かつ、前記第２の筐体のスライド時は前記第２の放音孔を介して放音することにより、前記第２の筐体の収納時とスライド時とで別の方向に放音することを特徴とするスライド型携帯端末。
【請求項３】
前記第２の筐体は、少なくとも上下左右のいずれか１方向にスライドすることを特徴とする請求項１又は２記載のスライド型携帯端末。
【請求項４】
前記第１の放音孔は、前記第１の筐体又は前記第２の筐体の側面における所定の位置に少なくとも１つ設けられることを特徴とする請求項２又は３記載のスライド型携帯端末。
【請求項５】
前記第２の放音孔は、前記第２の筐体の正面又は側面における所定の位置に少なくとも１つ設けられることを特徴とする請求項２から４のいずれか１項に記載のスライド型携帯端末。
【請求項６】
前記第２の放音孔は、前記第２の筐体のスライド時に前記放音手段と直結することを特徴とする請求項２から５のいずれか１項に記載のスライド型携帯端末。
【発明の詳細な説明】
【技術分野】
【０００１】
本発明は、放音手段及び放音孔を有するスライド型携帯端末に関する。
【背景技術】
【０００２】
従来のスライド型携帯端末は、第１の筐体である本体１と、第２の筐体であるスライド部２と、を有しており、スライド部２が上方向又は下方向にスライドする構成となっている。このような従来のスライド型携帯端末は、例えば図６に示すように、本体１の裏側にスピーカ４を実装する場合が多く、使用者側にスピーカ穴９が向いていないため、使用者は音を聞きにくいという問題があった。
【０００３】
その他の従来のスライド型携帯端末として、図７及び図８に示すように、スライド部２の表面に、スピーカ４及び発音するためのスピーカ穴１１（又はスピーカ穴１２）を実装するものもあるが、これらの端末は、スライド部２の長さが長くなってしまったり、スライド部２が厚くなってしまったりするので、装置のサイズが大きくなってしまうという問題がある。また、スライド部２と本体１の電気的接続の部品本数が増えるためコストアップしてしまうという問題点もある。また、図７に示すようにスライド部２の上側にスピーカ４を実装した場合はレシーバ穴１１との距離が近く、使用者がレシーバ穴１１に耳を当てている時にスピーカ４が鳴音すると大音響により耳に悪影響を及ぼす可能性もあった。また、図８に示すようにスライド部２の下側にスピーカ４を実装した場合はマイク穴１３との距離が近く、ハンズフリーを実現する場合にマイクとの音響的干渉が問題となる。
【０００４】
従来技術例として、二つ折りタイプの携帯電話のスピーカ近傍に放音孔を設けることにより、電話機を畳んだ状態でも放音性を高めることができる「携帯電話機」がある（例えば、特許文献１参照）。
【特許文献１】特開２００３−２１９００５号公報
【発明の開示】
【発明が解決しようとする課題】
【０００５】
しかしながら、上記特許文献１記載の発明は、折りたたみ式携帯電話においてスピーカ穴（放音孔）を設けた構成であるので、スピーカ及びスピーカ穴の設置位置は通話時における使用者の耳の位置、すなわち筐体の端部に限定されてしまい、設計の自由度がない。
【０００６】
本発明は、上記事情に鑑みてなされたものであり、スライド部の状態に左右されることなく、使用者がスピーカからの発音を聞き取ることができるとともに、設計の自由度があるスライド型携帯端末を提供することを目的とする。
【課題を解決するための手段】
【０００７】
かかる目的を達成するために、請求項１記載の発明は、所定の位置に放音手段を備える第１の筐体と、第１の筐体に対してスライドする第２の筐体と、を有するスライド型携帯端末であって、第１の筐体又は第２の筐体のいずれか一方に設けられ、放音手段の音を外部へ放音するための放音孔を有し、第２の筐体の収納時は、放音孔を介してスライド時と別の方向に放音することを特徴とする。
【０００８】
請求項２記載の発明は、所定の位置に放音手段を備える第１の筐体と、第１の筐体に対してスライドする第２の筐体と、を有するスライド型携帯端末であって、第１の筐体又は第２の筐体のいずれか一方に設けられ、放音手段の音を外部へ放音するための第１の放音孔と、第２の筐体に設けられ、放音手段の音を外部へ放音するための第２の放音孔と、を有し、第２の筐体の収納時は第１の放音孔を介して放音し、かつ、第２の筐体のスライド時は第２の放音孔を介して放音することにより、第２の筐体の収納時とスライド時とで別の方向に放音することを特徴とする。
【０００９】
請求項３記載の発明は、請求項１又は２記載の発明において、第２の筐体は、少なくとも上下左右のいずれか１方向にスライドすることを特徴とする。
【００１０】
請求項４記載の発明は、請求項２又は３記載の発明において、第１の放音孔は、第１の筐体又は第２の筐体の側面における所定の位置に少なくとも１つ設けられることを特徴とする。
【００１１】
請求項５記載の発明は、請求項２から４のいずれか１項に記載の発明において、第２の放音孔は、第２の筐体の正面又は側面における所定の位置に少なくとも１つ設けられることを特徴とする。
【００１２】
請求項６記載の発明は、請求項２から５のいずれか１項に記載の発明において、第２の放音孔は、第２の筐体のスライド時に放音手段と直結することを特徴とする。
【発明の効果】
【００１３】
本発明によれば、スライド型携帯端末において、スライド状態に関わらず放音性を高めることができるとともに、スピーカの設置位置を本体の任意の位置に備えることができ、また、スピーカに対応するスピーカ穴を、本体又はスライド部の任意の位置に備えることが可能となるので、設計の自由度の向上が実現できる。
【発明を実施するための最良の形態】
【００１４】
以下、本発明を実施するための最良の形態について添付図面を参照して詳細に説明する。
【実施例１】
【００１５】
本発明の実施例１であるスライド型携帯端末について図１及び図２を参照して説明する。本実施例のスライド型携帯端末は、図１の正面図及び側面図に示すように、第１の筐体である本体１と、表示部３を備えた第２の筐体であるスライド部と、を有する。本体１の上方には、発音部（放音手段）であるスピーカ４と、スピーカ４からの発音を外部へ通すためのスピーカ５（放音孔）が設けられ、スライド部２には、スピーカ穴５に対向する側にスピーカ穴６が設けられている。
【００１６】
図１は、本実施例のスライド型携帯端末において、スライド部２が収納された状態を示しており、スライド部２が本体１に対して重なる配置になっている。そして、本実施例のスライド型携帯端末は、例えばテレビ電話時には、図２の正面図及び側面図に示すようにスライド部２が下方向にスライドし（矢印方向）、例えば音声通話や各種操作時には、図３の正面図及び側面図に示すようにスライド部２が上方向にスライドするといった、上下両方向にスライドする構造になっている。
【００１７】
以上のような構成である本実施例のスライド型携帯端末は、図１に示すようにスライド部２を収納した状態では、スピーカ４から発した音はスピーカ穴５を経由して、端末上部に開口したスピーカ穴６から発音する。また、図２に示すようにスライド部２を下方向にスライドした状態では、スピーカ４から発した音は表示部３側前面すなわち使用者側を向いたスピーカ穴５から発音する。なお、図１ではスライド部２に窪みを設けてスピーカ穴６を構成しているが、図５の側面図に示すように本体１に窪みを設けてスピーカ穴６を構成してもよい。
【実施例２】
【００１８】
本発明の実施例２であるスライド型携帯端末について図３を参照して説明する。本実施例のスライド型携帯端末は、図３の正面図及び側面図に示すように、横方向に開口したスピーカ穴７をスライド部２に設ける。よって、スライド部２を上方向にスライドした状態でも、端末の側面から発音するので使用者は音を聞きやすい。なお、本実施例では、上方向へのスライドをとしたが、スピーカの設置位置を変えることによって下方向のスライドにも適用できる。
【実施例３】
【００１９】
本発明の実施例３であるスライド型携帯端末について図４を参照して説明する。本実施例のスライド型携帯端末は、図４の正面図及び側面図に示すように、スライド部２の正面にスピーカ穴８を設ける。よって、スライド部２を上方向にスライドした状態でも、端末の正面から発音するので使用者は音を聞きやすい。なお、本実施例では、上方向へのスライドをとしたが、スピーカの設置位置を変えることによって下方向のスライドにも適用できる。
【００２０】
なお、上記各実施例では、モノラルスピーカの場合を記載したが、ステレオスピーカでも同様である。ステレオスピーカの場合は、スライド部収納状態でのスピーカ穴は、ステレオスピーカそれぞれが端末左右に開口したスピーカ穴でもよい。
また、上記各実施例では、上下両方向のスライド構造としたが、上下いずれか一方向のスライド構造でもよい。
【００２１】
以上、本発明の各実施例によれば、スライド型無線端末におけるスピーカの発音方向を、スライド部を収納した状態では発音方向を上方向とし、スライド部をスライドした場合には表示側前面又は表示側側面の方向にするので、スライド部が収納状態及びスライド状態のどちらであっても、使用者にとってスピーカの音が聞きやすくなり、放音性の向上を実現できる。例えば、図１のようにスライド部２を収納した状態では、端末上部に開口したスピーカ穴６から発音するため、ポケットに無線端末を収納した状態では使用者は音を聞きやすい。また、図２のようにスライド部２を下方向にスライドした状態では、表示側前面すなわち使用者側を向いたスピーカ穴５から発音するため、端末正面で使用する使用者は音を聞きやすい。
【００２２】
また、本発明の各実施例によれば、スピーカを本体内部の任意の位置に備えることが可能となるので、設計の自由度が向上する。また、スピーカに対応するスピーカ穴を、本体又はスライド部の任意の位置に備えることが可能となるので、設計の自由度の向上が実現できる。
【００２３】
また、本発明の各実施例によれば、スライド部にスピーカを実装する必要がないため、スライド部の長さや厚みを短縮でき、端末装置の小型化を実現できる。
【００２４】
また、本発明の各実施例によれば、スピーカを本体に実装できるため、スライド部に実装した場合と比較して、本体とスライド部の電気的接続本数を低減でき、コスト低減が実現できる。
【００２５】
以上、本発明の実施例について説明したが、上記実施例に限定されるものではなく、その要旨を逸脱しない範囲において種々の変形が可能である。
【産業上の利用可能性】
【００２６】
本発明は、例えば携帯電話やＰＤＡ等、スライド型の移動体無線通信端末全般に適用できる。
【図面の簡単な説明】
【００２７】
【図１】本発明の実施例１に係る構成例を示す正面図及び側断面図である。
【図２】本発明の実施例１に係る構成例を示す正面図及び側断面図である。
【図３】本発明の実施例２に係る構成例を示す正面図及び側断面図である。
【図４】本発明の実施例３に係る構成例を示す正面図及び側断面図である。
【図５】本発明の実施例１に係る構成例を示す正面図及び側断面図である。
【図６】従来技術に係る構成例を示す正面図及び側断面図である。
【図７】従来技術に係る構成例を示す正面図及び側断面図である。
【図８】従来技術に係る構成例を示す正面図及び側断面図である。
【符号の説明】
【００２８】
１    本体（第１の筐体）
２    スライド部（第２の筐体）
３    表示部
４    スピーカ（放音手段）
５、９、１０、１２    スピーカ穴
６    スピーカ穴（第１の放音孔）
７、８    スピーカ穴（第２の放音孔）
１１    レシーバ穴
１３    マイク穴
【図１】
2006157199.tif 000003
【図２】
2006157199.tif 000004
【図３】
2006157199.tif 000005
【図４】
2006157199.tif 000006
【図５】
2006157199.tif 000007
【図６】
2006157199.tif 000008
【図７】
2006157199.tif 000009
【図８】
2006157199.tif 000010